(57)【要約】【構成】台１上部にターンテーブル２を設け、該ターンテーブル２上に円筒状ドラムユニット３を回転自在に設け、この円筒状ドラムユニット３の外周囲に複数本の商品案内レール４を縦設し、さらに円筒状ドラムユニット３の上部にはコイン投入口５を設け、該コイン投入口５に正規のコインを１個投入することで、各種のパック商品の内、１種を選択してパック商品を１個引き抜くことができるパック販売機。【効果】円筒状ドラムユニット外周に設けた複数本の商品案内レールに商品を陳列して設け、この商品案内レールに各種商品を係止し、最上段の商品から１個ずつ、１コインで引き抜けるようにしたので、商品の有無が目視でき複数商品の中から１種を選択できるものである。また、先入れ先出しの管理ができる。【選択図】　　　図１
2004078777.tif 000002
【特許請求の範囲】
【請求項１】
台上部にターンテーブルを設け、該ターンテーブル上に円筒状ドラムユニットを回転自在に設け、この円筒状ドラムユニットの外周囲に複数本の商品案内レールを縦設し、さらに円筒状ドラムユニットの上部にはコイン投入口を設け、該コイン投入口に正規のコインを１個投入することで、各種のパック商品の内、１種を選択してパック商品を１個引き抜くことができるようにしたことを特徴とするパック販売機。
【請求項２】
いたずら防止機構を内蔵したことを特徴とする請求項１記載のパック販売機。
【請求項３】
販売数の管理を可能にするコインのメカ式カウンターを設けたことを特徴とする請求項１、または請求項２記載のパック販売機。
【請求項４】
商品案内レールは、パック商品を下端から補助し、上端から引き抜けるように構成し、先入れ先出しができるようにしたことを特徴とする請求項１〜請求項３のいずれか１項に記載のパック販売機。
【発明の詳細な説明】
【０００１】
【発明の属する技術分野】
本発明は、無電源で、１コインによってパック形状の各種商品を１個ずつ商品案内レールから引き抜くことにより販売を可能にしたパック販売機に関するものである。
【０００２】
【従来の技術】
無電源で１コインによって１個ずつ販売する玩具をカプセル内に収納したカプセル玩具自動販売機（愛称：ガチャポン）、あるいはホテル、旅館等に設置されている電源有で複数コインによってカミソリ、シャンプー等の洗面具を販売する洗面具自動販売機が存在している。この従来のカプセル玩具自動販売機、洗面具自動販売機は、次のような問題点があった。
第１の問題点は、１つの商品（例えば、カプセル玩具自動販売機の場合は玩具）専用のもので、目視しながら商品を選択することはできないことである。
第２の問題点は、自動販売機内の在庫を外から確認することができないことである。
第３の問題点は、先入れ先出しができないことである。
第４の問題点は、構造上払出機能が必要なことである。
【０００３】
【発明が解決しようとする課題】
本発明に係るパック販売機は、上記した従来の技術が有する問題点に鑑みなされたもので、次の課題を解決することが目的である。
第１の課題は、１つの商品専用の自動販売機では、望む商品を選択することができなかったものを、ターンテーブル上に回転自在に設けた円筒状ドラムユニットの外周囲に１〜２０種類という多数種類の商品を係止できる商品案内レールを設けて、この複数の商品案内レールに各種商品毎に、あるいは人気のある商品は複数セットし、他の商品は１種セットする等して商品を自由に選択できるようにすることである。
第２の課題は、自動販売機内の在庫を外から確認できなかったものをお客様が欲しい商品を外から目で見て、欲する商品を自分で引き抜いて取ることができるようにすることである。
第３の課題は、商品の先入れ先出しができなかったものを、一方端から入れて他方端から取り出す構造を採用できるように、円筒状ドラムの外周囲に複数の商品案内レールを上下に縦列させて設け、下方端から商品を収容し、上方端から商品を１個ずつ引き抜き取り出すことをできるようにすることである。
第４の課題は、構造上払出機構が必要であったものを、１コインを投入することで購入者が欲する商品を選択して自分で引き抜いて取れるようにすることである。
尚、商品の種類は、１〜２０個の商品案内レールを設置し、そのレール数分の種類の商品を取り扱うことができるが、それ以上の種類が必要であれば円筒状ドラムの径を大きくすることで可能になる。
また、１コイン専用であるが、日本のコイン、外国のコイン等各種のコインを設定することで各種のコインに対応可能である。
【０００４】
【課題を解決するための手段】
本発明は、前記課題の解決を図ったもので、次のような技術手段を採用した。請求項１記載の発明においては、台上部にターンテーブルを設け、該ターンテーブル上に円筒状ドラムユニットを回転自在に設け、この円筒状ドラムユニットの外周囲に複数本の商品案内レールを縦設し、さらに円筒状ドラムユニットの上部にはコイン投入口を設け、該コイン投入口に正規のコインを１個投入することで、各種のパック商品の内、１種を選択してパック商品を１個引き抜くことができるという技術手段を採用した。
【０００５】
請求項２記載の発明においては、請求項１記載の発明に加えて、いたずら防止機構を内蔵するという技術手段を採用した。
【０００６】
請求項３記載の発明においては、請求項１及び請求項２記載の発明に加えて、販売数の管理を可能にするコインのメカ式カウンターを設けるという技術手段を採用した。
【０００７】
請求項４記載の発明においては、請求項１〜請求項３のいずれか１項に記載の発明に加えて、商品案内レールは、パック商品を下端から補助し、上端から引き抜けるように構成し、先入れ先出しができるという技術手段を採用した。
【０００８】
【発明の実施の形態】
本発明のパック販売機について、図面に基づいて説明する。
図１は、本発明に係るパック販売機の正面図、図２は同じく左側面図、図３は平面図である。
本発明のパック販売機は、備品収納箱１等の台上部にターンテーブル２を設け、該ターンテーブル２上に円筒状ドラムユニット３を回転自在に設け、この円筒状ドラムユニット３の外周囲には複数本の商品案内レール４を設け、さらに円筒状ドラムユニット３の上部には、コイン投入口５を有するトップカバー６を被せたものである。また、備品収納箱１等の台外側周囲の１個所、あるいは数個所にカップケースホルダ７等、種々の消耗品を収納する収納部を設けたものである。さらに、トップカバー６には、円筒状ドラムユニット３と係止できるように錠８が設けられ、円筒状ドラムユニット３内には、カウンター９、コインボックス１０、ベースプレート１１が内蔵されている。
【０００９】
ここで、本発明のパック販売機を用いて行う実際の販売方法について説明すると、
１．コイン１枚（例、１００円硬貨）をコイン投入レバー１２に設けられたコイン投入口５より差し入れる。
２．コイン投入レバー１２を押し、コイン投入レバー１２がロックされ起き上がらないことを確認する。なお、偽貨の場合は、コイン投入レバー１２はロックされず、コイン投入口５に硬貨が残ったまま起き上がる。
３．ターンテーブル２上に載置された円筒状ドラムユニット３を回転させ、好みのパック商品を係止してある商品案内レール４を正面商品取り出し口に合わせる。
４．パック商品１個を商品案内レール４最上段より引っ張り上げ、パック商品取り出し口よりパック商品を取り出す。パック商品取り出しと同時にコイン投入レバー１２は起き上がり、元の状態に戻る。
本発明は、上記のように上部から投入するコインの自重を利用して上から下にコインを落下させることで、各部を作動させるものである。
【００１０】
次に、図４〜図１０に基づいてコインをセットして、コインが落下しカウンターでカウントされ、最初の状態に戻るまでについて説明する。
図４に示すように、コイン投入口５にコインをセットし、図５に示すようにコイン投入カバー２８、コインガイド３１、コインセレクトレバー２１からなるコイン投入レバー１２を手、指で押し下げると、正しいコインであれば、コイン投入レバー１２はロックされ、起き上がらないようにロックされる。これは、コインセレクトプレート１３の識別突起部１４の間を通り抜けロックされるが、もし偽のコインの場合だと、コインセレクトプレート１３の識別突起部１４に引っかかり、コイン投入レバー１２はロックされず、偽のコインはコイン投入口５に残ったまま、コイン投入レバー１２は起き上がるようになっている。
【００１１】
次に、図６に示すように正しいコインであると、コイン投入レバー１２は押し下げられると同時にロックされるために、コイン投入レバー１２のピン１５が払出しカムストッパー１６を押し下げる。この払出しカムストッパー１６が押し下げられることにより払出しカム１７が外れ、払出しスプリング１８により払出しレバー１９が回転する。
【００１２】
さらに、図７に示すようにコインと払出しカム１７等との関係作動状態を説明すると、コインにより払出しカムストッパー１６が払出しカム１７と外れるため、払出しカム１７が回転し、さらにコインリリースレバー２０がコインセレクトレバー２１を押し上げる。
【００１３】
図８、図９に示すように、上記のようにコインセレクトレバー２１が押し上げられているので、コインは自重落下し、カウンター９に設けられたカウンターレバー２２を１回だけ矢印の方向に押すことでカウントするように構成されている。なお、３１はコインガイドである。
【００１４】
この状態の時に選択した商品を円筒状ドラムユニット３を回転させ、パック商品が係止されている商品案内レール４を正面パック商品取り出し口に合わせて、最上段にあるパック商品を１個引っ張り上げ、パック商品取り出し口よりパック商品を取り出す。そして、パック商品取り出しと同時に図１０に示すように、コイン投入レバー１２は起き上がり元の状態に戻る。
【００１５】
次に、図１１〜図１８に基づいていたずら防止機構について説明する。
図１１に示すものは、利用可能コイン（例えば、１００円硬貨）より径の大きいコイン（例えば、１０円硬貨）を利用した場合は、トップカバー６に当って入らないか、またはコインセレクトプレート１３の識別突起上部２３で止まり、コイン投入レバー１２はバネ等の作用で元の位置に戻るようになっている。
【００１６】
図１２に示すものは、利用可能コイン（例えば、１００円硬貨）より径の小さいコイン（例えば、５円硬貨）はコインセレクトプレート１３の識別突起部１４の識別突起下部２４で止まり、径の大きいものと同様にコイン投入レバー１２は元の位置に戻る。
【００１７】
図１３に示すものは、コイン投入レバー１２を押したままパック商品を取り出そうとした場合、払出しカムストッパー１６のピン１５が払出しカム１７に当るため、パック商品を取り出すことができないようにしたものである。
【００１８】
図１４に示すものは、パック商品を２個以上取り出そうとした場合は、払出しレバー１９の上下に間隔をパック商品１個分にしてあるので取り出すことができないようになっている。
【００１９】
図１５に示すものは、パック販売機本体を逆さまにしてパック商品を取り出そうとする場合は、セットしたコインが落ちないので、パック商品を取り出そうとした時に、コインがコインチェッカー２５のピン２６がコインに当たり、コイン投入レバー１２が元の位置に戻らなくなる。従って、コイン投入レバー１２が元の位置に戻らないため、払出しカムストッパー１６が払出しカム１７の溝２７に入らないので、払出しカム１７が払出しカムストッパー１６に当たり、払出しカム１７及び払出しレバー１９が回転できないので、パック商品が取り出せないようになる。
【００２０】
図１６に示すものは、コイン無しで利用した場合で、コインセレクトプレート１３の識別突起下部２４で止まり、コイン投入レバー１２は元の位置に戻る。
【００２１】
図１７に示すものは、コイン無しで針金のようなもので利用した場合は、コインセレクトプレート１３の識別突起下部（ＮＯ．１）を通過することはできるが、識別突起下部（ＮＯ．２）を通過させようとした時には、コイン投入レバー２８とトップカバー６との間に隙間がなくなるので止まり、コイン投入レバー１２は元の位置に戻る。
【００２２】
図１８に示すものは、取り出し時にパック商品を素早く動かす場合は、素早く動かすとコインカムストッパー２９のロックが外れる時にコインセレクトレバー２１が下がりきれずに（ａ）ワイヤー無しのように途中で引っ掛ってしまう。これをワイヤー３０を使うことで、コインカムストッパー２９が外れる時には（ｂ）ワイヤー有りのように、必ずコインセレクトレバー２１が下がりきっている状態になるためにワイヤー３０を使用している。
【００２３】
次に、図１９に基づいてコイン識別機構の応用例について説明する。
コイン識別機構は、コイン径の違いによりコインを識別するもので、コインをコインセレクトレバー２１にセットすると、コインの径によってコインセレクトレバー２１の位置が変わる。従って、コインガイド３１を動かした時のコインセレクトレバー２１の軌道もコインの径によって変わるので、コインセレクトプレート１３によって決められたコインの時だけ動くようにする。よってコインセレクトプレート１３形状を必要なコイン軌道に合わせて変えることで、いろいろなコインに対応することができるように応用する。
【００２４】
【発明の効果】
本発明は、以上の構成を採用した結果、次のような効果を得ることができる。
（１）円筒状ドラムユニット外周に設けた複数本の商品案内レールに商品を陳列して設け、この商品案内レールに各種商品を係止し、最上段の商品から１個ずつ、１コインで引き抜けるようにしたので、商品の有無が目視でき複数商品の中から１種を選択できるものである。
（２）商品案内レールの下端から商品を先入れし、最上段から引き抜くので、先入れ先出しの管理ができる。
（３）コーヒー粉末、ミルク、砂糖、粉末ジュース等の粉末飲料食品、ゼリー状の飲料食品、サプリメント等の栄養補助剤、チョコレートやキャンディー等の菓子類の固形物、つまみ類（サキイカ、カキの種、ピーナッツ等）、ライター、消しゴムなどの文房具、玩具、衛生具（バンドエイド（登録商標）、包帯、携帯化粧品等）、洗面具及びティッシュペーパー等１〜２０以上の多品種を適宜組み合わせて販売することができる。
（４）内蔵したコイン１個毎の落下を利用してメカ的にカウントできるカウンターを設けたことで、販売数の管理を可能にできる。
（５）商品の組み合わせにより、様々なところで販売できる（例えば、オフィス、駅、有料道路におけるサービスエリア、パーキングエリア、官庁、学校、病院、遊技場等）。
【図面の簡単な説明】
【図１】本発明のパック販売機を示す正面図である。
【図２】同パック販売機を示す左側面図である。
【図３】同パック販売機を示す平面図である。
【図４】本発明のパック販売機における、コインをセットした時のコイン投入レバーユニットとフレームユニットとの組み立て状態を示す正面図である。
【図５】図４に示す状態からコイン投入レバーを押し下げた際の状態を示す正面図である。
【図６】本発明のパック販売機における正常に作動する場合のコイン投入レバー機構の説明図である。
【図７】本発明のパック販売機におけるコインと払出しカム等との関係作動状態を示す説明図である。
【図８】本発明のパック販売機におけるコイン投入レバーを押し下げた状態の各構成部材の関係を示す正面図である。
【図９】本発明のパック販売機におけるコインとカウンターの関係を示す正面図である。
【図１０】本発明のパック販売機要部の待機状態になった時の正面図である。
【図１１】本発明のパック販売機における使用可能コインより径の大きいコインを利用した場合のいたずら防止機構を説明する正面図である。
【図１２】本発明のパック販売機における使用可能コインより径の小さいコインを使用した場合のいたずら防止機構を説明する正面図である。
【図１３】本発明のパック販売機におけるコイン投入レバーを押したままパック商品を取り出そうとする場合のいたずら防止機構を説明する正面図である。
【図１４】本発明のパック販売機におけるパック商品を２個以上取り出そうとする場合のいたずら防止機構を説明する正面図である。
【図１５】本発明のパック販売機におけるパック販売機本体を逆さまに使用する場合のいたずら防止機構を説明する正面図である。
【図１６】本発明のパック販売機におけるコイン無しで使用する場合のいたずら防止機構を説明する正面図である。
【図１７】本発明のパック販売機におけるコイン無しで針金のようなものを使用する場合のいたずら防止機構を説明する正面図である。
【図１８】本発明のパック販売機におけるパック商品を取り出す時にパック商品を素早く動かして行う場合のいたずら防止機構を説明するワイヤー無し（ａ）とワイヤー有り（ｂ）の正面図である。
【図１９】本発明のパック販売機におけるコイン識別機構の応用例を示す説明図である。
【符号の説明】
１‥‥備品収納箱　　　　　　　　　　　２‥‥ターンテーブル
３・・・・円筒状ドラムユニット　　　　　　４・・・・商品案内レール
５・・・・コイン投入口　　　　　　　　　　６・・・・トップカバー
７・・・・カップケースホルダー　　　　　　８・・・・錠
９・・・・カウンター　　　　　　　　　　１０・・・・コインボックス
１１・・・・ベースプレート　　　　　　　　１２・・・・コイン投入レバー
１３・・・・コインセレクトプレート　　　　１４・・・・識別突起部
１５・・・・ピン　　　　　　　　　　　　　１６・・・・払出しカムストッパー
１７・・・・払出しカム　　　　　　　　　　１８・・・・払出しスプリング
１９・・・・払出しレバー　　　　　　　　　２０・・・・コインリリースレバー
２１・・・・コインセレクトレバー　　　　　２２・・・・カウンターレバー
２３・・・・識別突起上部　　　　　　　　　２４・・・・識別突起下部
２５・・・・コインチェッカー　　　　　　　２６・・・・ピン
２７・・・・溝　　　　　　　　　　　　　　２８・・・・コイン投入カバー
２９・・・・コインカムストッパー　　　　　３０・・・・ワイヤー
３１・・・・コインガイド
【図１】
2004078777.tif 000003
【図２】
2004078777.tif 000004
【図３】
2004078777.tif 000005
【図４】
2004078777.tif 000006
【図５】
2004078777.tif 000007
【図６】
2004078777.tif 000008
【図７】
2004078777.tif 000009
【図８】
2004078777.tif 000010
【図９】
2004078777.tif 000011
【図１０】
2004078777.tif 000012
【図１１】
2004078777.tif 000013
【図１２】
2004078777.tif 000014
【図１３】
2004078777.tif 000015
【図１４】
2004078777.tif 000016
【図１５】
2004078777.tif 000017
【図１６】
2004078777.tif 000018
【図１７】
2004078777.tif 000019
【図１８】
2004078777.tif 000020
【図１９】
2004078777.tif 000021